【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
ネットワークを介して受信する出力情報に基づく画像を印刷する印刷装置及び前記ネットワークを介して受信する出力情報を記憶する記憶手段を備える複数の画像処理装置と通信可能な情報処理装置であって、
前記出力情報をネットワーク上の複数の画像処理装置が備えるいずれかの記憶手段に保存させるための保存先を指定する指定手段と、
前記指定手段で指定された保存先を示すストレージ情報を作成する作成手段と、
前記作成手段により作成される前記ストレージ情報に基づいて、前記出力情報に前記ストレージ情報に応じた識別ＩＤを付加していずれかの記憶手段に転送する第１の転送制御手段と、
前記識別ＩＤが付加された前記出力情報を印刷させるべく前記印刷装置に転送する第２の転送制御手段と、
を備えることを特徴とする情報処理装置。
【請求項２】
ネットワークを介して受信する出力情報に基づく画像を印刷する印刷装置、前記ネットワークを介して受信する出力情報を記憶する記憶手段を備える画像処理装置、少なくとも前記印刷装置と通信可能な情報処理装置を有する画像処理システムにおいて、
前記情報処理装置は、
前記出力情報をネットワーク上の画像処理装置が備える記憶手段に保存させるための保存先を指定する指定手段と、
前記出力情報と前記指定手段で指定された保存先を示す情報を前記印刷装置に転送する第１の転送制御手段とを備え、
前記印刷装置は、
前記第１の転送制御手段に基づき転送された前記出力情報と前記保存先を示す情報とを受信する受信手段と、
前記受信手段により受信した前記保存先を示す情報に応じて前記受信手段で受信した前記出力情報を転送する第２の転送制御手段と、
前記受信手段で受信した前記出力情報に基づく画像に前記保存先を示す情報に基づく識別ＩＤが付加された画像を印刷する印刷手段とを備えることを特徴とする画像処理システム。
【請求項３】
ネットワークを介して受信する出力情報に基づく画像を印刷する印刷装置、前記ネットワークを介して受信する出力情報を記憶する記憶手段を備える画像処理装置、少なくとも前記印刷装置と通信可能な情報処理装置を有する画像処理システムにおいて、
前記情報処理装置は、
前記出力情報をネットワーク上の画像処理装置が備える記憶手段に保存させるための保存先及び印刷装置を指定する指定手段と、
前記出力情報、前記指定手段で指定された保存先を示す情報及び印刷装置を示す情報を前記指定手段で指定した保存先に対応した画像処理装置に転送する第１の転送制御手段とを備え、
前記画像処理装置は、
前記第１の転送制御手段に基づき転送された前記出力情報、前記保存先を示す情報及び前記印刷装置を示す情報を受信する受信手段と、
前記受信手段で受信した前記保存先を示す情報に応じて前記受信手段で受信した前記出力情報を前記記憶手段に保存する保存手段と、
前記受信手段で受信した前記印刷装置を示す情報に応じた印刷装置に、前記出力情報及び前記保存先を示す情報を転送する第２の転送制御手段とを備え、
前記印刷装置は、
前記第２の転送制御手段に基づき転送された前記出力情報に基づく画像に前記保存先を示す情報に基づく識別ＩＤが付加された画像を印刷する印刷手段を備えることを特徴とする画像処理システム。
【請求項４】
ネットワークを介して受信する出力情報に基づく画像を印刷する印刷装置及び前記ネットワークを介して受信する出力情報を記憶する記憶手段を備える複数の画像処理装置と通信可能な情報処理装置における画像処理方法であって、
前記出力情報をネットワーク上の複数の画像処理装置が備えるいずれかの記憶手段に保存させるための保存先を指定する指定ステップと、
前記指定ステップで指定された保存先を示すストレージ情報を作成する作成ステップと、
前記作成ステップにより作成される前記ストレージ情報に基づいて、前記出力情報に前記ストレージ情報に応じた識別ＩＤを付加していずれかの記憶手段に転送させる第１の転送制御ステップと、
前記識別ＩＤが付加された前記出力情報を印刷させるべく前記印刷装置に転送させる第２の転送制御ステップと、
を備えることを特徴とする画像処理方法。
【請求項５】
前記出力情報を前記記憶手段が保存可能かどうかを調査して判定する判定ステップを有することを特徴とする請求項４記載の画像処理方法。
【請求項６】
前記出力情報は、所定の頁記述言語データまたは前記所定の頁記述言語データが展開された展開データであることを特徴とする請求項４または５に記載の画像処理方法。
【請求項７】
前記保存先は、プリンタドライバを介して指定することを特徴とする請求項４乃至６のいずれかに記載の画像処理方法。
【請求項８】
前記保存先は、プリント機能と、スキャナ機能とを有したネットワーク上の画像処理装置の記憶手段であり、該画像処理装置は、前記スキャナ機能により前記識別ＩＤを読み取ることにより前記保存先である記憶手段から前記出力情報を引き出しプリント機能により印刷可能であることを特徴とする請求項４乃至７のいずれかに記載の画像処理方法。
【請求項９】
前記保存先は、少なくとも前記出力情報を記憶可能な記憶手段を有した画像処理装置の記憶手段であり、該記憶手段に記憶された前記出力情報はプリント機能とスキャナ機能とを有した他の装置において、前記スキャナ機能により前記識別ＩＤを読み取ることにより当該記憶手段から引き出されプリント機能により印刷可能であることを特徴とする請求項４乃至７のいずれかに記載の画像処理方法。
【請求項１０】
請求項４乃至９のいずれかに記載の画像処理方法をコンピュータにより実行させるためのプログラムを格納したことを特徴とするコンピュータが読み取り可能な記憶媒体。
【請求項１１】
請求項４乃至９のいずれかに記載の画像処理方法をコンピュータにより実行させるためのプログラム。
【手続補正２】
【補正対象書類名】明細書
【補正対象項目名】０００１
【補正方法】変更
【補正の内容】
【０００１】
本発明は、ネットワークを介して受信する出力情報に基づく画像を印刷する印刷装置、ネットワークを介して受信する出力情報を記憶する記憶手段を備える画像処理装置とが通信可能な画像処理システムにおける画像処理に関する。
【手続補正３】
【補正対象書類名】明細書
【補正対象項目名】０００３
【補正方法】変更
【補正の内容】
【０００３】
しかしながら、上記従来例では、常にデジタル複写機のＨＤＤに原稿が記憶されるため、例えばたまたま文書を印刷させた印刷装置（デジタル複写機）が、ユーザが普段いる場所から離れた場所に設定されていた場合、この記憶された原稿を引き出す際は毎回多くの経路を経由して原稿を取得することになり、ネットワークのトラフィックの増大を招いてしまうという課題があった。
【手続補正４】
【補正対象書類名】明細書
【補正対象項目名】０００４
【補正方法】変更
【補正の内容】
【０００４】
本発明は、前記の課題を解決するためになされたもので、本発明の第１の目的は、出力情報を印刷装置で転送する場合に、指定される保存先を示すストレージ情報を作成して、出力情報を複数の画像処理装置が備えるいずれかの記憶手段に転送できる仕組みを提供することである。
第２の目的は、情報処理装置が出力情報を印刷装置で転送する場合に、転送先の印刷装置が出力情報を画像処理装置が備える記憶手段に転送するための保存先を示す情報を付加することで、印刷装置が受信した出力情報を保存先を示す情報に従って記憶手段に転送できる仕組みを提供することである。
【手続補正５】
【補正対象書類名】明細書
【補正対象項目名】０００５
【補正方法】変更
【補正の内容】
【０００５】
第３の目的は、情報処理装置が出力情報を画像処理装置で転送する場合に、転送先の印刷装置が出力情報を画像処理装置が備える記憶手段に転送するための保存先を示す情報及び出力情報を印刷すべき印刷装置を示す情報を付加することで、画像処理装置が受信した出力情報を保存先を示す情報に従って記憶手段に保存し、さらに、画像処理装置が印刷すべき印刷装置を示す情報に従って出力情報を転送できる仕組みを提供することである。
【手続補正６】
【補正対象書類名】明細書
【補正対象項目名】０００７
【補正方法】変更
【補正の内容】
【０００７】
ネットワークを介して受信する出力情報に基づく画像を印刷する印刷装置及び前記ネットワークを介して受信する出力情報を記憶する記憶手段を備える複数の画像処理装置と通信可能な情報処理装置であって、前記出力情報をネットワーク上の複数の画像処理装置が備えるいずれかの記憶手段に保存させるための保存先を指定する指定手段と、前記指定手段で指定された保存先を示すストレージ情報を作成する作成手段と、前記作成手段により作成される前記ストレージ情報に基づいて、前記出力情報に前記ストレージ情報に応じた識別ＩＤを付加していずれかの記憶手段に転送する第１の転送制御手段と、前記識別ＩＤが付加された前記出力情報を印刷させるべく前記印刷装置に転送する第２の転送制御手段と、
を備えることを特徴とする。
【手続補正７】
【補正対象書類名】明細書
【補正対象項目名】０００７
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本発明によれば、出力情報を画像処理装置または印刷装置に転送する際に、出力情報を記憶手段に保存させる情報を付加することで、出力情報を指定された保存先の記憶手段に転送して保存させて、記憶手段から保存された出力情報を読み出す場合のデータ転送負担を軽減できる。